(57)【要約】【課題】係止ランスと接続端子との安定した係止状態を確保する。【解決手段】リアホルダ１６に係止ランス９２が端子接続部７１の後端部を係止するように設けられると共に、枠状の係止片９３が端子収容室８１の底壁に接触して進入するように設けられている。係止片９３には、接続端子１８の端子接続部７１に形成された係止突起７４が嵌挿されるスリット９４が形成され、更にスリット９４には前端枠９３ａが設けられている。リアホルダ１６が仮係合位置にあるときに、電線１７付の接続端子１８をハウジング１５に挿入すると、接続端子１８の係止突起７４がスリット９４に嵌入して前進し、端子接続部７１が係止ランス９２を押し上げて潜り抜け、係止ランス９２が端子接続部７１の後端部を係止その後方への戻りを規制し、係止片９３の前端枠９３ａが係止突起７４を係止し、接続端子１８の更なる前進を規制する。【選択図】　　　　図３
2004006385.tif 000002
【特許請求の範囲】
【請求項１】
接続端子を収容するハウジングと、該ハウジングの後部に仮係合位置及び本係合位置で係合し、前記接続端子の後方への移動を規制するために前記接続端子の上部を係止する係止ランスを備えたリアホルダとから成るコネクタにおいて、前記リアホルダには前記接続端子の下部に設けた細長突起を前進させるためのスリットを設けると共に該スリットの前端を閉止する枠部を形成し、前記リアホルダの前記仮係合位置において前記接続端子を前記係止ランスが係止したときに、前記接続端子の前方への移動を前記細長突起を介して前記スリットの枠部により規制することを特徴とするコネクタ。
【発明の詳細な説明】
【０００１】
【発明の属する技術分野】
本発明は、例えば自動車等の電気配線に使用され、ハウジングに収容した接続端子を係止するためのリアホルダを備えたコネクタに関するものである。
【０００２】
【従来の技術】
従来のこの種のコネクタでは、ハウジングの後部にリアホルダが前後動自在に係合され、リアホルダはハウジングに中間まで挿入された仮係合位置と、十分に押し込まれた本係合位置とで係合する場合がある。これはハウジングに接続端子を収容した後にリアホルダを取り付けるのでは、接続端子に接続した電線を個々にリアホルダを挿通しなければならないために、リアホルダの仮係合状態で接続端子と電線とをリアホルダを通過させながらハウジングに挿入するためである。
【０００３】
また、ハウジングに収容された接続端子を係止する係止ランスをハウジングに一体に設けずに、リアホルダに設けることもある。この場合には、係止ランスの成形が容易となり、比較的耐久性を有し高価な材質を要する係止ランスを、樹脂が小容量で済むリアホルダに設けるため全体として安価となる。
【０００４】
【発明が解決しようとする課題】
しかしながら、この従来のコネクタにおいては、係止ランスが接続端子の後方への移動を規制する形状に形成されているため、リアホルダが仮係合位置にあるときに接続端子を前方へ押した場合には、係止ランスと接続端子の係止状態が容易に崩れてしまうという問題点がある。
【０００５】
本発明の目的は、このような問題点を解消し、係止ランスと接続端子との安定した係止状態を常に確保できるコネクタを提供することにある。
【０００６】
【課題を解決するための手段】
上記目的を達成するための本発明に係るコネクタは、接続端子を収容するハウジングと、該ハウジングの後部に仮係合位置及び本係合位置で係合し、前記接続端子の後方への移動を規制するために前記接続端子の上部を係止する係止ランスを備えたリアホルダとから成るコネクタにおいて、前記リアホルダには前記接続端子の下部に設けた細長突起を前進させるためのスリットを設けると共に該スリットの前端を閉止する枠部を形成し、前記リアホルダの前記仮係合位置において前記接続端子を前記係止ランスが係止したときに、前記接続端子の前方への移動を前記細長突起を介して前記スリットの枠部により規制することを特徴とする。
【０００７】
【発明の実施の形態】
本発明を図示の実施の形態に基づいて詳細に説明する。
図１は実施例の断面図であり、ハウジング１５の後部に上下一体のリアホルダ１６を係合し、これらのハウジング１５とリアホルダ１６が後部に電線１７を接続した接続端子１８を収容し得る仮係合状態にあることを示している。接続端子１８は導電金属板により形成され、図示しない相手側端子を接続する角筒状の端子接続部７１と、電線１７の芯線を固定する芯線固定部７２と、電線１７の被覆を固定する被覆固定部７３とが前方から順次に設けられている。端子接続部７１の底板７１ａには、長細状の係止突起７４が形成されている。
【０００８】
また、ハウジング１５の端子収容室８１の前方上壁には、端子接続部７１の天板が当接する端子当接面８２と、リアホルダ１６の係止ランスの背面が当接するランス当接面８３とが形成されている。そして、端子収容室８１の前端部には、前方規制部８４が設けられ、前方規制部８４の後方には端子接続部７１の前端部を上方へ移動させる傾斜面８５が形成されている。
【０００９】
一方、リアホルダ１６のホルダ本体部９１の上壁から係止ランス９２が端子接続部７１の後端部を係止するように設けられ、本体部９１の下壁からは図２に示すように、枠状の係止片９３が端子収容室８１の底壁に接触して進入するように設けられている。係止片９３には、接続端子１８の端子接続部７１に形成された係止突起７４が嵌挿されるスリット９４が形成され、スリット９４の前端には前端枠９３ａが設けられている。
【００１０】
リアホルダ１６が仮係合位置にあるときに、電線１７付の接続端子１８をハウジング１５に挿入すると、図３に示すように接続端子１８の係止突起７４がスリット９４に嵌入して前進し、端子接続部７１が係止ランス９２を押し上げて潜り抜け、続いて係止ランス９２が復元して端子接続部７１の後端部を係止し、接続端子の後方への移動が規制される。同時に、係止突起７４は係止片９３の前端枠９３ａに係止され、接続端子１８の更なる前進が規制される。
【００１１】
この状態からリアホルダ１６を十分に押し込むと、係止ランス９２は端子接続部７１を押圧しながら前進して、リアホルダ１６は図４に示すように本係合状態になり、係止ランス９２の背面はランス当接面８３に密着した状態となる。端子接続部７１の前端部は傾斜面８５を上昇しながら前方規制部８４に当接し、端子当接面８２と係止片９３に挟まれて端子接続部７１の上下動が規制されている。
【００１２】
この状態で、係止ランス９２は接続端子７１の後方への移動を規制し、リアホルダ１６の係止片９３の前端枠９３ａは細長状の係止突起７４を介して接続端子１８の前方への移動を規制し、同時にハウジング１５の前方規制部８４は接続端子１８の前端部に当接して、接続端子１８の前方への移動を規制する。
【００１３】
リアホルダ１６を製造するための合成樹脂材料の容量はハウジング１５のそれよりも少ないため、リアホルダ１６に係止ランス９２の耐久性を向上させるために高価な材料を使用しても、コストの上昇を抑えることができる。更に、ハウジング１５とリアホルダ１６の形状が簡素であるため、成形サイクルを短縮できる。
【００１４】
【発明の効果】
以上説明したように本発明に係るコネクタは、リアホルダが仮係合位置にあって係止ランスが接続端子の上部を係止したときに、リアホルダに設けたスリットの枠部が接続端子に設けた細長突起を係止するので、その状態における接続端子の前後動を防止できる。また、リアホルダを押し込むと、係止ランスが端子接続部を押圧しながら前進すると共に、スリットも共に前進するので、係止ランスと接続端子の係止状態を確保し続けることができる。
【図面の簡単な説明】
【図１】実施例の断面図である。
【図２】係止片の部分拡大斜視図である。
【図３】作用説明図である。
【図４】作用説明図である。
【符号の説明】
１５　ハウジング
１６　リアホルダ
１８　接続端子
７１　端子接続部
７４　係止突起
８１　端子収容室
９２　係止ランス
９３　係止片
【図１】
2004006385.tif 000003
【図２】
2004006385.tif 000004
【図３】
2004006385.tif 000005
【図４】
2004006385.tif 000006